(57)【要約】      （修正有）【課題】蓋が開いても中のものが散乱しない筆記具セットを提供する。【解決手段】筆記具セットは、筆記具ケースに、筆記具３と、消しゴム５と、鉛筆削り６が収容されたものである。凹凸成形部１１の補助機器収容領域３２には、枠消しゴム収容凹部３５と、鉛筆削り収容凹部３６が設けられている。消しゴム５は、補助機器収容領域３２の消しゴム収容凹部３５に装着され、その側面が突出部５０に押圧されて保持される。鉛筆削り６は鉛筆削り収容凹部３６に装着され、その側面が突出部に押圧されて保持される。筆記具３は、筆記具収容領域３１に配され、筆記具保持溝８５によって保持される。筆記具ケースを逆さまにしても筆記具３、消しゴム５及び鉛筆削り６は自然落下しない。【選択図】図４
2015058109.tif 000002
【特許請求の範囲】
【請求項１】
ケースと、棒状であって色違いの複数の筆記具と、消しゴム及び鉛筆削りによって構成され、前記ケース内に前記筆記具と前記消しゴムと鉛筆削りが収納されて成る筆記具セットにおいて、前記ケースは、上面が開口する収容容器部と、収容容器部の開口面を覆う覆い部材を有し、前記収容容器部には、前記複数の筆記具が平面的に並べて配置される筆記具収容領域と、消しゴムを収容する消しゴム収容凹部と、鉛筆削りを収容する鉛筆削り収容凹部とが有り、前記筆記具収容領域には筆記具を一本づつ保持する筆記具保持溝が複数列平行に並べて設けられ、前記筆記具保持溝のそれぞれの開口部には、狭窄部が複数箇所設けられ、各筆記具を収容した状態においては各筆記具の一部が前記狭窄部で保持され、消しゴム収容凹部は、底面と周壁部があり、前記周壁部には突出部があり、消しゴムを収容した状態においては、前記突出部が消しゴムの側面を押圧して保持し、鉛筆削り収容凹部は、底面と周壁部があり、前記周壁部には突出部があり、鉛筆削りを収容した状態においては前記突出部が鉛筆削り側面を押圧して保持し、覆い部材の覆いを外した状態でケースを逆さまにしても筆記具、消しゴム及び鉛筆削りが自然落下しない程度に筆記具、消しゴム及び鉛筆削がケースに固定されていることを特徴とする筆記具セット。
【請求項２】
前記ケースの収容容器部は、底板部と、凹凸成形部を有し、凹凸成形部は、熱可塑性樹脂の薄板を凹凸変形させて成形されたものであり、平面視が略四角形であって、上面壁と、４面の側面壁があり、前記上面壁と４面の側面壁によって囲まれた空洞部があり、前記上面壁が凹変されて前記消しゴム収容凹部と、鉛筆削り収容凹部と、筆記具保持溝が形成されており、前記４面の側面壁には凹凸部が設けられ、前記４面の側面壁の自由端側にはフランジ部が設けられ、凹凸成形部のフランジ部と、消しゴム収容凹部の底面の裏面側と、鉛筆削り収容凹部の底面の裏面側とが前記底板部に接着されており、前記覆い部材の覆いを外した状態においては、凹凸成形部の前記４面の側面壁がいずれの部材とも非接触状態となることを特徴とする請求項１に記載の筆記具セット。
【請求項３】
収容容器部の筆記具収容領域は、平面視が略四角形であり、筆記具収容領域には、中央部に筆記具保持溝が設けられ、その両端部は大底領域となっていて筆記具保持溝の最底部よりも更に凹変した領域であり、大底領域の裏面側が底板部に接着されていることを特徴とする請求項２に記載の筆記具セット。
【請求項４】
底板部と覆い部材は、一枚の板体が折り曲げられたものであることを特徴とする請求項２又は３に記載の筆記具セット。
【請求項５】
消しゴムは、本体部の周囲に帯状物が装着されたものであり、帯状物の端部から本体部の一部が露出し、消しゴム収容凹部の前記突出部は、消しゴムの帯状物と当接する位置にあり、消しゴム収容凹部の周壁部と、消しゴムの本体部の帯状物から露出する部分の一部又は全部との間に隙間が生じることを特徴とする請求項１乃至４のいずれかに記載の筆記具セット。
【発明の詳細な説明】
【技術分野】
【０００１】
本発明は、色鉛筆やパステル、サクラクーピーペンシル（株式会社サクラクレパスの登録商標  以下同じ）等のプラスチック色鉛筆、その他の筆記具と、消しゴム及び鉛筆削りが一つのケースに収容されて成る筆記具セットに関するものである。
【背景技術】
【０００２】
児童が使用する代表的な描画材として、色鉛筆、パステル、プラスチック色鉛筆等がある。
色鉛筆等は、１２色セットとか、１５色セットという様に、複数の色の物をセットにして販売され、使用される。例えば色鉛筆であれば、複数色のものが一つのケースに収納された色鉛筆セットとして販売されることとなる。
ここで描画材を収納するケースには、使用時に色鉛筆等の長手方向の一部だけを露出させる構造のものと、色鉛筆等の長手方向の全体を露出させる構造のものとがある。
前者のケースの多くは、例えばキャラメル箱のごとくの紙製であって、外箱と内箱を有し、外箱から内箱を引き出す構造となっている。
後者のケースは、ブリキ製や樹脂製であって、本体部と蓋とが別体であり、本体部から蓋体を取り外すことができるものである。
【先行技術文献】
【特許文献】
【０００３】
【特許文献１】特開平９−２２４７３１号公報
【発明の概要】
【発明が解決しようとする課題】
【０００４】
二つのケースを比較すると、使い勝手の点においては、後者の様な色鉛筆等の全体が露出するものが優れている。一方、持ち運びの容易性という点では、前者の様な外箱から内箱を引き出す構造のものが優れている。
【０００５】
即ち全体が露出するタイプのケースを採用した筆記具セットは、児童が持ち運ぶ際に蓋が外れてしまう場合があり、中の色鉛筆等がこぼれ落ちてしまうことがある。特にパステルや、サクラクーピーペンシルの様な色材部分を保護する部材が無い筆記具は、芯等の色材部分の周囲を木材等で保護する構造の色鉛筆に比べて折れやすい。そのためパステルや、サクラクーピーペンシル等の筆記具が、ケースから外れてこぼれ落ちると、折れてしまうという問題がある。また利便性を向上させる目的から、消しゴムや鉛筆削りを色鉛筆等を収容するケースに同包することが考えられるが、全体が露出するタイプのケースを採用する場合、消しゴムや鉛筆削りもこぼれ落ちてしまう。
【０００６】
またランドセル等の鞄内に筆記具セットを入れて通学する際に、ケースの蓋が外れ、色鉛筆や、消しゴム、鉛筆削り等が鞄の中に散乱してしまう場合もある。
ここで、消しゴムと鉛筆削りは、色鉛筆に比べて全長が短く、鞄の奥底や、隙間に入り込んでしまう場合がある。また消しゴムと鉛筆削りは、色鉛筆に比べて色が地味である。そのため消しゴムと鉛筆削りが鞄の中で散乱すると、見つけにくい。特に筆記具セットは、児童が使用する場合が多く、消しゴムと鉛筆削りが鞄の中で散乱すると、探すのが面倒になって諦めてしまう場合も多い。
【０００７】
本発明は上記した事情に鑑み、蓋が開いても中のものが散乱しない筆記具セットを提供することを課題とするものである。
【課題を解決するための手段】
【０００８】
上記した課題を解決するための請求項１に記載の発明は、ケースと、棒状であって色違いの複数の筆記具と、消しゴム及び鉛筆削りによって構成され、前記ケース内に前記筆記具と前記消しゴムと鉛筆削りが収納されて成る筆記具セットにおいて、前記ケースは、上面が開口する収容容器部と、収容容器部の開口面を覆う覆い部材を有し、前記収容容器部には、前記複数の筆記具が平面的に並べて配置される筆記具収容領域と、消しゴムを収容する消しゴム収容凹部と、鉛筆削りを収容する鉛筆削り収容凹部とが有り、前記筆記具収容領域には筆記具を一本づつ保持する筆記具保持溝が複数列平行に並べて設けられ、前記筆記具保持溝のそれぞれの開口部には、狭窄部が複数箇所設けられ、各筆記具を収容した状態においては各筆記具の一部が前記狭窄部で保持され、消しゴム収容凹部は、底面と周壁部があり、前記周壁部には突出部があり、消しゴムを収容した状態においては、前記突出部が消しゴムの側面を押圧して保持し、鉛筆削り収容凹部は、底面と周壁部があり、前記周壁部には突出部があり、鉛筆削りを収容した状態においては前記突出部が鉛筆削り側面を押圧して保持し、覆い部材の覆いを外した状態でケースを逆さまにしても筆記具、消しゴム及び鉛筆削りが自然落下しない程度に筆記具、消しゴム及び鉛筆削がケースに固定されていることを特徴とする筆記具セットである。
【０００９】
本発明の筆記具セットは、筆記具だけでなく、消しゴムと鉛筆削りも収納されているので、利便性が高い。さらにケースの収容容器部は、上面が開口するものであり、覆い部材は収容容器部の開口面を覆うものに過ぎないから、使用時に収容容器部の上面を開放することができる。そのため使用者は、筆記具を選び易い。
また本発明の筆記具セットは、覆い部材の覆いを外した状態でケースを逆さまにしても、筆記具、消しゴム及び鉛筆削りが自然落下しないので、覆い部材が外れても筆記具、消しゴム及び鉛筆削りが散乱しにくい。
【００１０】
請求項２に記載の発明は、前記ケースの収容容器部は、底板部と、凹凸成形部を有し、凹凸成形部は、熱可塑性樹脂の薄板を凹凸変形させて成形されたものであり、平面視が略四角形であって、上面壁と、４面の側面壁があり、前記上面壁と４面の側面壁によって囲まれた空洞部があり、前記上面壁が凹変されて前記消しゴム収容凹部と、鉛筆削り収容凹部と、筆記具保持溝が形成されており、前記４面の側面壁には凹凸部が設けられ、前記４面の側面壁の自由端側にはフランジ部が設けられ、凹凸成形部のフランジ部と、消しゴム収容凹部の底面の裏面側と、鉛筆削り収容凹部の底面の裏面側とが前記底板部に接着されており、前記覆い部材の覆いを外した状態においては、凹凸成形部の前記４面の側面壁がいずれの部材とも非接触状態となることを特徴とする請求項１に記載の筆記具セットである。
【００１１】
本発明で採用するケースは、凹凸成形部が主たる構成部材となっている。ここで凹凸成形部は、熱可塑性樹脂の薄板を凹凸変形させて成形されたものであり、安価に製造することができる。また熱可塑性樹脂の薄板を凹凸変形させて成形された成形品は、単体では剛性が極めて低いものとなるが、本発明で採用する凹凸成形部は、４面の側面壁には凹凸部が設けられており、ある程度の剛性がある。
また本発明では、凹凸成形部のフランジ部と、消しゴム収容凹部の底面の裏面側と、鉛筆削り収容凹部の底面の裏面側とが底板部に接着されている。そのため、凹凸成形部は底板部との一体性が高く、収容容器部全体として剛性が高い。
【００１２】
請求項３に記載の発明は、収容容器部の筆記具収容領域は、平面視が略四角形であり、筆記具収容領域には、中央部に筆記具保持溝が設けられ、その両端部は大底領域となっていて筆記具保持溝の最底部よりも更に凹変した領域であり、大底領域の裏面側が底板部に接着されていることを特徴とする請求項２に記載の筆記具セットである。
【００１３】
本発明の筆記具セットでは、さらに筆記具収容領域の底の部分についても底板部に接着されている。そのため凹凸成形部は底板部との一体性が高く、収容容器部全体として剛性が高い。
【００１４】
請求項４に記載の発明は、底板部と覆い部材は、一枚の板体が折り曲げられたものであることを特徴とする請求項２又は３に記載の筆記具セットである。
【００１５】
本発明の筆記具セットは、簡単な構造で、底板部と覆い部材が形成されている。また底板部は、覆い部材と同一の部品であるから、全体的な剛性が高く、折れ曲がり難い。
【００１６】
請求項５に記載の発明は、消しゴムは、本体部の周囲に帯状物が装着されたものであり、帯状物の端部から本体部の一部が露出し、消しゴム収容凹部の前記突出部は、消しゴムの帯状物と当接する位置にあり、消しゴム収容凹部の周壁部と、消しゴムの本体部の帯状物から露出する部分の一部又は全部との間に隙間が生じることを特徴とする請求項１乃至４のいずれかに記載の筆記具セットである。
【００１７】
本発明の筆記具セットでは、消しゴム収容凹部の周壁部と、消しゴムの本体部の帯状物から露出する部分の一部又は全部との間に隙間が生じる。そのため、消しゴムのゴム部分が消しゴム収容凹部の周壁部と接触しにくく、粘つかない。
【発明の効果】
【００１８】
本発明の筆記具セットは、筆記具の全面を露出させることができ、色を選びやすい。また、収容容器部が露出した状態であっても収容物が散乱しにくい。
【図面の簡単な説明】
【００１９】
【図１】本発明の実施形態の筆記具セットの斜視図である。
【図２】図１の筆記具セットを使用する際の斜視図であり、覆い部材による覆いを外した状態を示す。
【図３】図１の筆記具セットの分解斜視図である。
【図４】図１の筆記具セットの凹凸成形部及び収容物の斜視図である。
【図５】図４の凹凸成形部の消しゴム収容凹部と、鉛筆削り収容凹部の斜視図である。
【図６】（ａ）は、収容容器部の消しゴム収容凹部近傍の断面図であり、（ｂ）は、その平面図であり、（ｃ）は、（ａ）のＡ−Ａ断面図であり、（ｄ）は、（ａ）のＢ−Ｂ断面図である。
【図７】（ａ）は、収容容器部の消しゴム収容凹部に消しゴムを装着した状態における断面図であり、（ｂ）は、その平面図であり、（ｃ）は、（ａ）のＡ−Ａ断面図であり、（ｄ）は、（ａ）のＢ−Ｂ断面図である。
【図８】（ａ）は、収容容器部の鉛筆削り収容凹部の断面図であり、（ｂ）は、鉛筆削り収容凹部の平面図であり、（ｃ）は、（ａ）のＡ−Ａ断面図である。
【図９】（ａ）は、収容容器部の鉛筆削り収容凹部に鉛筆削りを装着した状態における断面図であり、（ｂ）は、その平面図であり、（ｃ）は、（ａ）のＡ−Ａ断面図である。
【図１０】（ａ）は、収容容器部の筆記具保持溝部分であって狭窄部が設けられた部位の断面図であり、（ｂ）は、図４のケースの筆記具保持溝部分であって狭窄部が無い部位の断面図である。
【図１１】（ａ）は、収容容器部の筆記具保持溝部分に筆記具を装着した状態における狭窄部が設けられた部位の断面図であり、（ｂ）は、図４のケースの筆記具保持溝部分に筆記具を装着した状態における狭窄部が無い部位の断面図である。
【発明を実施するための形態】
【００２０】
以下さらに本発明の実施形態について説明する。
本実施形態の筆記具セット１は、筆記具ケース２に、１５色の筆記具３と、消しゴム５と、鉛筆削り６が収容されたものである。
本実施形態では、筆記具３は、サクラクーピーペンシルである。ここでサクラクーピーーペンシルは、パステルに類似する描画材が剥き出しの状態となったものであり、色鉛筆の芯を包囲する木材の様な外郭を構成する補強部材はない。従って、サクラクーピーペンシルは、その全てが描画材であって、鉛筆削りで削ることなく使用することができる。しかしながら、細い線を描きたい場合に、先端を尖らせる場合があり、その用途に使用するための鉛筆削り６が同包されている。
【００２１】
筆記具３の外観形状は、色鉛筆に似ており、断面形状が円形の棒状である。筆記具３は、先端が尖っている。
消しゴム５は、公知のそれと同一形状であり、直方体である。消しゴム５は、ゴム製の本体部６０に紙製の帯状物６１が装着されたものである。帯状物６１の全長は、本体部６０よりも短く、帯状物６１から本体部６０の一部が露出する。即ち消しゴム５の表面は、帯状部６１と露出部６３とがある。
鉛筆削り６は、略直方体であるが、側面部６７がやや円弧状に窪んでいる。また角には面取り状の斜面６６がある。
【００２２】
筆記具ケース２は、図２に示すように、上面が開口する収容容器部７と、収容容器部７の開口面を覆う覆い部材８を有している。
筆記具ケース２は、図３の様に、外郭部材１０に凹凸成形部１１が接着されて作られたものである。
【００２３】
図３の様に、外郭部材１０は、一枚の厚紙（板体Ａ）１２を折り曲げて作られたものである。外郭部材１０は、２条の折り目線１３，１５を有している。折り目線１３，１５は、圧縮されていて厚みが薄く、蝶番の様に機能し、容易に曲がる。
外郭部材１０は、底板部１７と側面包囲部１８と、覆い部材８を構成するものである。即ち２条の折り目線１３，１５で囲まれた長方形の領域が、側面包囲部１８であり、折り目線１３を挟んで連続する領域が、底板部１７であり、折り目線１５を挟んで連続する領域が、覆い部材８である。
また底板部１７の長辺部であってその中央には、略三角形の舌状部２１が設けられている。舌状部２１には、ホックや面ファスナー等の接続部材が設けられている。本実施形態では、ホックオス２３が接着されている。なお覆い部材８の表面側にも図示しないホックメスがあり、舌状部２１のホックオス２３と係合する。
【００２４】
次に凹凸成形部１１について説明する。凹凸成形部１１をポリプロピレン樹脂等の薄い樹脂板（樹脂シート）を真空成形し、凹凸変形させて作られたものである。凹凸成形部１１は、平面視が略四角形であって、上面壁２５と、４面の側面壁２６，２７，２８，３０がある。
凹凸成形部１１は、前記した様に真空成形で作られており、前記した上面壁２５と、４面の側面壁２６，２７，２８，３０によって囲まれた領域は、空洞部２９となっている（図６乃至１１）。
【００２５】
凹凸成形部１１の上面壁２５には、大きな凹凸があり、図３、図４の様に筆記具収容領域３１と、補助機器収容領域３２とに分かれている。
補助機器収容領域３２は、枠状部３３で囲まれ、全体がやや窪んだ領域である。
そして本実施形態では、補助機器収容領域３２に、消しゴム収容凹部３５と、鉛筆削り収容凹部３６が設けられている。
【００２６】
消しゴム収容凹部３５は、図５，６，７の様に、消しゴム５がすっぽりと入る略長方形の穴であり、底面３８がある。底面３８は平坦面である。また開口壁と底面３８を繋ぐ４側面４０，４１，４２，４３を有している。
４側面４０，４１，４２，４３の内、側面４０，４２は、長辺側側面４０，４２であり、他は短辺側側面４１，４３である。
本実施形態では、長辺側側面４０，４２は、図５、図６の様に、直立壁部４５ａ，４５ｂと、突出壁部４６によって構成されている。
即ち直立壁部４５ａ，４５ｂは、長辺側側面４０，４２の長手方向の両端部にあり、上面壁２５の平面部４８対して概ね垂直に垂下した壁面である。
突出壁部４６は、二つの直立壁部４５ａ，４５ｂに挟まれた部位にあり、直立壁部４５ａ，４５ｂよりも内側に膨出している。即ち突出壁部４６は、開口近傍が消しゴム収容凹部３５の内側に向かって傾斜している。より詳細には、傾斜壁部４６はその開口近傍部は、数ミリ程度が内側に突出する方向にした傾斜面４７となっており、。それより下の部位は垂直に垂下している。そのため突出壁部４６は、消しゴム収容凹部３５の内側に向かって膨出した突出部５０となっている。
【００２７】
また短辺側側面４１，４３は、外側の短辺側側面４３は垂直であるが、内側の短辺側側面４１は指入れ部５１が設けられている
即ち内側の短辺側側面４１は、開口端の中央部に半円部５２があり、その内側が球面壁５３となっている。
【００２８】
次に、鉛筆削り収容凹部３６について説明する。
鉛筆削り収容凹部３６は、図５，８，９の様に、鉛筆削り６がすっぽりと入る略長方形の穴であり、底面６８がある。底面６８は平坦面である。また開口壁と底面６８を繋ぐ４側面７０，７１，７２，７３を有している。
４側面７０，７１，７２，７３の内、側面７０，７２は、長辺側側面７０，７２であり、他は短辺側側面７１，７３である。
本実施形態では、長辺側側面７０，７２は、図７、図８の様に、開口端のやや下部から底面６８にかけての領域が、突出部８０となっている。
即ち長辺側側面７０，７２の開口端近傍は、やや傾斜した傾斜面となっており、それに続く下部側は、垂直壁となっている。そのため開口に対して垂直壁の部位が、内側に向かう突出部８０を形成している。
【００２９】
短辺側側面７１，７３は、前記した消しゴム収容凹部３５と同様に、外側の短辺側側面７３は垂直であるが、内側の短辺側側面７１は指入れ部８１が設けられている
即ち内側の短辺側側面７１は、開口端の中央部に半円部８２があり、その内側が球面壁８３となっている。
【００３０】
次に、凹凸成形部１１の筆記具収容領域３１について説明する。
筆記具収容領域３１は、中央部に複数の筆記具保持溝８５が設けられ、その両端部は大底領域９２，９３となっている。
筆記具保持溝８５は、１５条設けられており、平行に並べられている。
筆記具保持溝８５の全長は、筆記具３の全長の４分の１から２分の１程度である。
筆記具保持溝８５の断面形状は、図１０、図１１の様に大部分が半円状である。しかしながら本実施形態では、筆記具保持溝８５の長手方向の両端近傍に開口がやや狭く作られた狭窄部８６ａ，８６ｂが設けられている。
狭窄部８６ａ，８６ｂには、開口近傍に、０，１から０，５ｍｍ程度の膨出部８４がある。
【００３１】
大底領域９２，９３は、筆記具保持溝８５よりも更に深く絞られた部位である。大底領域９２，９３は平坦面である。大底領域９２，９３の深さは前記した消しゴム収容凹部３５及び鉛筆削り収容凹部３６と同一であり、これらの裏面は同一平面である。
【００３２】
次に凹凸成形部１１の側面壁２６，２７，２８，３０について説明する。本実施形態では、４面の側面壁２６，２７，２８，３０の内、補助機器収容領域３２側の辺２６を上辺側側面壁２６と称し、時計回りに外側側面壁２７，下辺側側面壁２８、内面側側面壁３０と称することとする。
本実施形態では、内面側側面壁３０を除く、上辺側側面壁２６と外側側面壁２７と下辺側側面壁２８は、同一の形状をしている。即ち上辺側側面壁２６と外側側面壁２７と下辺側側面壁２８は、いずれも一定間隔で半円状の凹部８７が設けられている。凹部８７は、上辺側側面壁２６の高さ方向の全長に至る長さを持つ。凹部８７の幅は、他の部位（凸部）の幅よりも狭く、約３分の１程度である。
【００３３】
これに対して、内面側側面壁３０は、凹部８８の幅が広く、凸部９０の幅が狭い。本実施形態では、凸部は、中央に一か所設けられているに過ぎず、その幅は、内面側側面壁３０の全長の６分の１程度である。
側面壁２６，２７，２８，３０の自由端側には、フランジ部９１が設けられている。
【００３４】
次に、筆記具ケース２の各部材の関係について説明する。本実施形態では、収容容器部７は、外郭部材１０の底板部１７と凹凸成形部１１によって構成されている。即ち本実施形態では、外郭部材１０の底板部１７に、凹凸成形部１１が接着されて取り付けられている。より具体的には、凹凸成形部１１のフランジ部９１、消しゴム収容凹部３５の底面３８の裏面側、鉛筆削り収容凹部３６の底面６８の裏面側、及び大底領域９２，９３の裏面側が、外郭部材１０の底板部１７に接着されている。そのため、凹凸成形部１１の底は、周辺部と、中央部が外郭部材１０の底板部１７に接着される。
また収容容器部７は、前記した様に、凹凸成形部１１の消しゴム収容凹部３５、鉛筆削り収容凹部３６、筆記具収容領域３１が凹凸形状をしており、且つ裏面側が外郭部材１０と一体化されている。さらに４面の側面壁２６，２７，２８，３０にも凹部８７が設けられている。そのため収容容器部７は、全体として相当の剛性を発揮する。
【００３５】
また外郭部材１０は、一枚の厚紙であり、底板部１７は、側面包囲部１８及び覆い部材８と一体であるから、底板部１７は曲げに対する剛性が高い。そのため凹凸成形部１１は、より一層の剛性を発揮する。
外郭部材１０は、柏折り状に折り曲げられ、図１の様に覆い部材８が収容容器部７の開口面を覆う。この際、凹凸成形部１１の内面側側面壁３０は、側面包囲部１８に覆われるが、凹凸成形部１１の他の側面壁２６，２７，２８は露出する。即ち上辺側側面壁２６と、外側側面壁２７及び下辺側側面壁２８は、これを覆う部材がなく、直接外部に露出する。
【００３６】
本実施形態では、消しゴム５は、補助機器収容領域３２の消しゴム収容凹部３５に装着されている。
ここで本実施形態では、消しゴム収容凹部３５は、前記した様に消しゴム５がすっぽりと入る略長方形の穴であるが、４側面４０，４１，４２，４３の内、長辺側側面４０，４２の内部に突出部５０がある。そのため消しゴム５は、その側面が突出部５０に押圧されて保持される。
しかしながら、本実施形態では、突出部５０は長辺側側面４０，４２の長手方向の中央部分にだけ設けられ、消しゴム収容凹部３５の長手方向の両端部の長辺側側面４０，４２は平坦面である。そのため消しゴム５を消しゴム収容凹部３５に装着した状態において、突出部５０が接触するのは、消しゴム５の本体部６０に装着された紙の帯状物６１の部位であり、帯状物６１から突出した露出部６３は、突出部５０には当たらない。そのため、消しゴム５が粘っても、消しゴム収容凹部３５の内面に貼り付くことはない。
なお本実施形態では、長辺側側面４０，４２の両端に垂直壁（直立壁部４５ａ，４５ｂ）があるから、消しゴム５の向きをいずれに向けて消しゴム収容凹部３５に装着しても、消しゴム５の露出部６３は、突出部５０に当たらない。
【００３７】
また消しゴム収容凹部３５の開口端は、内部よりもやや広く作られている。そのため消しゴム５を、消しゴム収容凹部３５に容易にはめ込むことができる。
一方、消しゴム収容凹部３５の内側の短辺側側面４１に指入れ部５１が設けられているから、使用者は指入れ部５１に指を入れて内部の消しゴム５をかき起こすことができ、消しゴム５の取り外しも容易である。
【００３８】
また本実施形態では、鉛筆削り６は鉛筆削り収容凹部３６に装着されている。
鉛筆削り収容凹部３６についても、前記した消しゴム収容凹部３５と同様に、内部に突出部８０が設けられているから、鉛筆削り６はその側面が突出部８０に押圧されて保持される。
なお、鉛筆削り６は外郭部の全体が樹脂や金属で作られており、粘ることは無いので、鉛筆削り収容凹部３６には全長に渡って突出部８０を設けている。
【００３９】
本実施形態では、筆記具３は、筆記具収容領域３１に配され、筆記具保持溝８５によって保持される。ここで本実施形態では、筆記具保持溝８５の長手方向の両端近傍に狭窄部８６ａ，８６ｂが設けられている。そのため筆記具３は筆記具保持溝８５によって円周の約１８０度が保持され、狭窄部８６ａ，８６ｂの膨出部８４によってさらにいくらかの角度に渡って保持される。そのため狭窄部８６ａ，８６ｂが設けられた部位においては、筆記具３は周囲が１８０度以上に渡って保持される。なお、狭窄部８６ａ，８６ｂは、２か所に設けられているに過ぎず、且つ膨出部８４の張出量も僅かであるから、筆記具３を筆記具保持溝８５に装着する作業は容易である。
【００４０】
一方、筆記具３を取り外す際には、筆記具３の大底領域９２，９３の上部側に位置する部位を押す。その結果、筆記具３の押圧部分は、大底領域９２，９３に下がり、筆記具３は、筆記具保持溝８５の底を揺動中心として回動する。筆記具３の他端側は、筆記具ケース２から持ち上がる。そのため筆記具３の取り外しについても容易である。
【００４１】
また本実施形態の筆記具セット１は、筆記具３、消しゴム５及び鉛筆削り６が、筆記具ケース２の凹凸成形部１１に保持されているから、図２の様に筆記具ケース２の覆い部材８が開放された状態で、筆記具ケース２を天地逆にしたとしても、内蔵物が落下しない。即ち覆い部材８の覆いを外した状態で筆記具ケース２を逆さまにしても筆記具３、消しゴム５及び鉛筆削り６は自然落下しない。
もちろん本実施形態の筆記具セット１は、図１の様に覆い部材８で凹凸成形部１１の表面を覆った状態で鞄等に入れられるが、たとえ鞄の中で覆い部材８が開いてしまっても、鞄の中で消しゴム５や鉛筆削り６が散乱することは少ない。
【００４２】
前記実施形態では、消しゴム収容凹部３５内の対向する２側面４０，４２に突出部５０を設けたが、一つの側面だけに突出部５０を設けてもよく、３面以上に突出部５０を設けてもよい。
鉛筆削り収容凹部３６についても同様である。
【符号の説明】
【００４３】
１  筆記具セット
２  筆記具ケース
３  筆記具
５  消しゴム
６  鉛筆削り
７  収容容器部
８  覆い部材
１０  外郭部材
１１  凹凸成形部
１７  底板部
２９  空洞部
３１  筆記具収容領域
３２  補助機器収容領域
３５  消しゴム収容凹部
３６  鉛筆削り収容凹部
５０  突出部
６０  本体部
６１  帯状物
８０  突出部
８４  膨出部
８５  筆記具保持溝
８６ａ，８６ｂ  狭窄部
９１  フランジ部
９２，９３  大底領域
【図１】
2015058109.tif 000003
【図２】
2015058109.tif 000004
【図３】
2015058109.tif 000005
【図４】
2015058109.tif 000006
【図５】
2015058109.tif 000007
【図６】
2015058109.tif 000008
【図７】
2015058109.tif 000009
【図８】
2015058109.tif 000010
【図９】
2015058109.tif 000011
【図１０】
2015058109.tif 000012
【図１１】
2015058109.tif 000013